(57)【要約】【課題】収納体を片手で安定した状態で保持したまま、収納体の両側面に配置した押圧体をその手の指で押圧して、蓋体と収納体の係合を容易に解除可能とする。したがって、化粧用コンパクト容器の蓋体の開放を片手で迅速に行うことができるとともに、片手に荷物を持っている場合にも容易に蓋体を開放して化粧落ち等の確認を行うことができる。また、押圧体を収納体の両側面に配置することにより、両押圧体を同時に押圧した場合に蓋体を収納体から確実に開放可能とする。【解決手段】化粧料2の収納部5を設けた収納体1の一端に開閉可能に蓋体7の一端を支軸10により軸支して接続し、この蓋体7と収納体1に設けた係合部12と係合受部14との係合により、蓋体7を収納体1に係合閉止可能とするものにおいて、収納体1の両側面15に押圧体17を配置する。そして、この押圧体17を押圧することにより係合部12と係合受部14との係合を解除して、蓋体7を開放可能とする。【選択図】図１
2006288766.tif 000002
【特許請求の範囲】
【請求項１】
化粧料の収納部を設けた収納体の一端に開閉可能に蓋体の一端を支軸により軸支して接続し、この蓋体と収納体に設けた係合部と係合受部との係合により、蓋体を収納体に係合閉止可能とするものにおいて、収納体の両側面に押圧体を配置し、この押圧体を押圧することにより係合部と係合受部との係合を解除して、蓋体を開放可能とすることを特徴とする化粧用コンパクト容器。
【請求項２】
収納体は、蓋体に設けた係合部と係合可能な係合受部を配置し、この係合受部と両側面の押圧体とを可動部材にて連結することにより、押圧体の押圧によって可動部材が位置移動し、係合受部が係合部との係合を解除する方向に移動して係合部との係合を解除し、蓋体を開放可能とすることを特徴とする請求項１の化粧用コンパクト容器。
【請求項３】
可動部材は、係合受部の移動方向の軸線上に、係合受部方向にハ字型に傾斜する傾斜片を突出した矢印体と、この矢印体を連結した枠体とからなり、この枠体に係合受部を固定するとともに傾斜片の先端に押圧体を固定することにより、この押圧体を内方へ押圧してハ字型の傾斜片を弾性変形し、矢印体及び枠体を係合受部と係合部との係合解除方向に移動可能とすることを特徴とする請求項２の化粧用コンパクト容器。
【請求項４】
押圧体は、収納体の長さ方向の２分の１以上、支軸側に偏った位置に形成したことを特徴とする請求項１、２又は３の化粧用コンパクト容器。
【発明の詳細な説明】
【技術分野】
【０００１】
本発明は、ファンデーション等の化粧料を収納した化粧用コンパクト容器に関するものである。
【背景技術】
【０００２】
【特許文献１】特開平８−５６７４３号公報
【特許文献２】特開平１１−２４４０３５号公報
【０００３】
従来から、コンパクト容器として、収納体の一端に開閉可能に蓋体を接続し、この一端と対向する他端側で、蓋体に係合部を設けるとともに収納体に係合受部を設け、この係合部と係合受部との係合により蓋体を収納体に係合閉止し、さらに蓋体と収納体の係合を解除するための押圧体を設けたものが知られている。そして、この押圧体は、特許文献１に示す如く蓋体に設けた係合部に近接して設けているか、あるいは、特許文献２に示す如く収納体に設けた係合受部に近接して設けているものである。
【発明の開示】
【発明が解決しようとする課題】
【０００４】
しかしながら、係合部や係合受部に近接して押圧体を配置すると、押圧体はコンパクト容器の一端方向に形成されるから、使用者がコンパクト容器を手にして蓋体を開放する場合において、片手で開放操作を行うためには係合部と係合受部を形成した他辺側を保持しなければ押圧体に指が届かないものとなる。しかし、収納体を保持しようとすると収納体の側面を保持することとなり、保持した手の指で押圧体を押圧しようとするとバランスを崩してコンパクト容器を落としてしまう場合があり、特に蓋体の開閉方向に縦長のコンパクト容器の場合に落とし易いものとなる。また、コンパクト容器を落とさないように蓋体を開放しようとすると、片手で収納体を保持して他方の手の指で押圧体を押圧する必要があり、片手でハンドバッグ等の荷物を持ちながら、もう一方の手で迅速にコンパクト容器を開放して化粧落ち等を確認しようとする場合に不都合なものとなっていた。
【０００５】
そこで、本発明は、上述の如き課題を解決しようとするものであって、化粧用コンパクト容器を片手で安定した状態で保持しながら蓋体と収納体の係合を容易に解除可能とするものである。
【課題を解決するための手段】
【０００６】
化粧料の収納部を設けた収納体の一端に開閉可能に蓋体の一端を支軸により軸支して接続し、この蓋体と収納体に設けた係合部と係合受部との係合により、蓋体を収納体に係合閉止可能とするものにおいて、収納体の両側面に押圧体を配置し、この押圧体を押圧することにより係合部と係合受部との係合を解除して、蓋体を開放可能とするものである。
【０００７】
収納体は、蓋体に設けた係合部と係合可能な係合受部を配置し、この係合受部と両側面の押圧体とを可動部材にて連結することにより、押圧体の押圧によって可動部材が位置移動し、係合受部が係合部との係合を解除する方向に移動して係合部との係合を解除し、蓋体を開放可能とするものであってもよい。
【０００８】
可動部材は、係合受部の移動方向の軸線上に、係合受部方向にハ字型に傾斜する傾斜片を突出した矢印体と、この矢印体を連結した枠体とからなり、この枠体に係合受部を固定するとともに傾斜片の先端に押圧体を固定することにより、この押圧体を内方へ押圧してハ字型の傾斜片を弾性変形し、矢印体及び枠体を係合受部と係合部との係合解除方向に移動可能とするものであってもよい。
【０００９】
押圧体は、収納体の長さ方向の２分の１以上、支軸側に偏った位置に形成したものであってもよい。
【発明の効果】
【００１０】
本発明に於いては、上述の如き構成とすることによって、収納体を片手で安定した状態で保持したまま、保持した手の指で収納体の両側面に配置した押圧体を押圧して、蓋体と収納体の係合を容易に解除可能とする。したがって、化粧用コンパクト容器の蓋体の開放を片手で迅速に行うことができるとともに、片手に荷物を持っている場合にも容易に蓋体を開放し、鏡体を見て化粧落ち等の確認を行うことができる。また、押圧体を収納体の両側面に配置することによって、両押圧体を同時に押圧した場合に可動部材に均等に力が加わり、蓋体を収納体から確実に開放可能とする。また、押圧体を収納体の長さ方向の２分の１以上、支軸側に偏った位置に形成すれば、押圧体を手指で押圧する場合に化粧用コンパクト容器の底面側のすべてを手の平の上面に配置することができ、安定した化粧用コンパクト容器の保持を可能とするとともに、押圧体を押圧しやすいものとする。
【実施例】
【００１１】
以下、本発明の一実施例を図面において説明すれば、（１）は収納体であり、図１に示す如く、長方形の箱状に形成し、化粧料（２）とパフ（３）を収納するための中皿（４）の収納部（５）を中央部に設ける。また、収納体（１）の一方の短辺側（６）に、収納体（１）を被覆する蓋体（７）の一方の短辺側（８）を支軸（１０）により開閉可能に軸支する。また、蓋体（７）の内面に鏡体（９）を配置するとともに、、蓋体（７）の他方の短辺側（１１）の内面に、図２に示す如く、蓋体（７）と垂直に係合部（１２）を突出している。そして、収納体（１）の他方の短辺側（１３）には、係合部（１２）と係合可能な位置に係合受部（１４）を配置する。なお、この係合受部（１４）は、後述の如く、収納体（１）には連結せずに、収納体（１）とは別個に形成している。
【００１２】
また、収納体（１）の長手方向の両側面（１５）の一部を切り開いて、収納部（５）と貫通するよう開口部（１６）を設ける。この開口部（１６）はいずれも、収納体（１）の長さ方向の２分の１以上、支軸（１０）側に偏った位置に設ける。そして、この開口部（１６）に、開口部（１６）よりやや小さく板状に形成した押圧体（１７）を配置する。この位置に押圧体（１７）を配置することにより、収納体（１）を片手（１８）で保持した際に、収納体（１）を安定した状態で手の平に保持したまま、保持した片手（１８）の指で容易に押圧体（１７）を押圧することが可能となる。また、押圧体（１７）を収納体（１）の長さ方向の２分の１以上、支軸（１０）側に偏った位置に設けたことにより、収納体（１）を片手（１８）で保持した際に、保持した片手（１８）の指を押圧体（１７）に配置しやすくなり、押圧体（１７）を押圧しやすいものとなる。また、この押圧体（１７）の内面を、収納部（５）側に突出させて、この収納部（５）の底面に軸支片（２０）を介して軸支する。
【００１３】
そして、前記係合受部（１４）の一端と押圧体（１７）とを可動部材（２１）を用いて連結する。この可動部材（２１）は、正方形状の枠体（２２）と、この枠体（２２）の一方の短辺側に垂直片（２３）を固定した矢印体（２４）とから構成している。そして、この矢印体（２４）のハ字型の傾斜片（２５）の先端を押圧体（１７）に固定するとともに、この垂直片（２３）は、収納部（５）の一方の短辺側（２６）の内面に接触しない程度の長さとする。これにより、可動部材（２１）を収納体（１）の一方の短辺側（６）方向に移動可能とする。また、正方形状の枠体（２２）を収納部（５）の内側面（２７）に近接した寸法とすることにより、可動部材（２１）を収納体（１）の一方の短辺側（６）方向に移動する際に、枠体（２２）の外側が収納部（５）の内側面（２７）に沿って移動することにより、可動部材（２１）の移動方向の軸がぶれることなく移動を可能とする。
【００１４】
また、図１に示す如く、収納部（５）に、中皿（４）を装着する。この中皿（４）の収納部（５）への装着は、押圧体（１７）及び可動部材（２１）の可動に支障のないよう、中皿（４）と押圧体（１７）及び可動部材（２１）を非接触または摺動可能な接触として行う。また、図２に示す如く、蓋体（７）の内面に垂直に突出した係合部（１２）には、その先端部の中皿（４）側に係合突起（２８）を設ける。また、係合受部（１４）の上端には、係合部（１２）の係合突起（２８）と係合するための係合受突起（３０）を係合部（１２）側に突出し、この係合受突起（３０）の上面には係合突起（２８）が突き当たって摺動するための係合傾斜面（３１）を係合部（１２）側に傾斜して形成している。
【００１５】
上述の如く形成したものにおいて、閉止状態にある蓋体（７）を開放する場合には、片手（１８）で収納体（１）を保持したまま、保持した片手（１８）の指で押圧体（１７）を、図４に示す如く、収納部（５）方向に押圧することによって行う。このとき、蓋体（７）の完全閉止状態においては、係合部（１２）の係合突起（２８）と、係合受部（１４）の係合受突起（３０）は係合状態にある。そして、図３に示す如く、指で押圧体（１７）を押圧すると、押圧体（１７）に固定している傾斜片（２５）が、押圧による圧力で弾性変形し、傾斜角度が大きくなるから、傾斜に伴って可動部材（２１）が引っ張られて収納体（１）と蓋体（７）との支軸（１０）側に移動する。可動部材（２１）の移動に伴って枠体（２２）に固定している係合受部（１４）も収納体（１）と蓋体（７）との支軸（１０）側に移動し、係合受部（１４）と係合している係合部（１２）の係合を解除し、蓋体（７）が収納体（１）から開放可能となる。
【００１６】
したがって、化粧用コンパクト容器（３２）の使用者は、収納体（１）を片手（１８）で安定した状態で保持したまま、収納体（１）の長手方向の両側面（１５）に設けた両押圧体（１７）を、保持した片手（１８）の指で押圧するのみで、収納体（１）と蓋体（７）の係合を容易に解除可能となる。そのため、片手（１８）に荷物を持っている場合にも容易に蓋体（７）を開放し、鏡体（９）を見て、化粧落ち等の確認を行うことができる。また、押圧体（１７）を収納体（１）の両側面（１５）に配置することによって、押圧体（１７）を押圧した力が偏ることなく可動部材（２１）に伝わり、収納体（１）から蓋体（７）を確実に開放可能とする。
【００１７】
また、蓋体（７）を開放し終えて押圧体（１７）から指を放すと、押圧による圧力で弾性変形し、傾斜角度が大きくなっていた傾斜片（２５）がその有する復元力によって元の形状に戻り、これに伴って可動部材（２１）及び係合受部（１４）も収納体（１）の他方の短辺側（１３）に戻る。そして、化粧用コンパクト容器（３２）の使用を終えて再び蓋体（７）を収納体（１）に係合閉止する場合には、蓋体（７）を収納体（１）に閉止する動作により、係合部（１２）の係合突起（２８）と係合受部（１４）の係合傾斜面（３１）が互いに摺動しつつ係合突起（２８）が収納体（１）方向に移動する。そうすると、係合部（１２）から受ける圧力により、係合受部（１４）とこれに連結する可動部材（２１）が支軸（１０）方向に移動する。
【００１８】
そして、さらに閉止動作を続けると、係合突起（２８）と係合受突起（３０）の先端が一致し、係合突起（２８）の先端が係合受突起（３０）を乗り越えた時に、傾斜片（２５）の有する前記復元力によって、可動部材（２１）及び係合受部（１４）が収納体（１）の他方の短辺（１３）側に戻ることにより、係合部（１２）の係合突起（２８）と、係合受部（１４）の係合受突起（３０）の一端とが接触状態となる。これにより、係合部（１２）と係合受部（１４）が係合して、蓋体（７）が収納体（１）に閉止状態となる。
【図面の簡単な説明】
【００１９】
【図１】本発明の一実施例にかかる収納体の構成を示す平面図。
【図２】図１のＡ−Ａ線部分拡大断面図。
【図３】図１の押圧片を押圧した状態を示す平面図。
【図４】蓋体と収納体が係合閉止した状態を示す斜視図。
【図５】蓋体を収納体から開放した状態を示す斜視図。
【符号の説明】
【００２０】
１  収納体
２  化粧料
５  収納部
７  蓋体
１０  支軸
１２  係合部
１４  係合受部
１５  両側面
１７  押圧体
２１  可動部材
２２  枠体
２４  矢印体
２５  傾斜片
３２  化粧用コンパクト容器
【図１】
2006288766.tif 000003
【図２】
2006288766.tif 000004
【図３】
2006288766.tif 000005
【図４】
2006288766.tif 000006
【図５】
2006288766.tif 000007